(57)【特許請求の範囲】
【請求項１】
建物の壁面、又は、スラブ面の室内側面に、室内側と交信自在な状態にアンテナを設けてあるアンテナ付き建物であって、
前記アンテナは、面状交信面を有し、前記面状交信面を、その面内方向に複数に分割自在に構成し、隣接する分割交信面どうしの間に、互いの分割交信面どうしを導電状態と非導電状態とに切替自在な導電切替手段を設け、その導電切替手段は、隣接する分割交信面から取り除き操作するに伴って隣接する分割交信面どうしを導通状態から非導通状態に切り替える取り除き部で構成してあると共に、室内の間仕切り部に合わせて配置してあるアンテナ付き建物。
【請求項２】
前記アンテナは、導電材料を混入させた塗料から構成してある請求項１に記載のアンテナ付き建物。
【請求項３】
前記アンテナは、導電材料で印刷したシートで構成してある請求項１に記載のアンテナ付き建物。
【請求項４】
前記アンテナの室内側面側に、化粧材を敷設してある請求項１〜３の何れか一項に記載のアンテナ付き建物。
【発明の詳細な説明】
【０００１】
【発明の属する技術分野】
本発明は、例えば、建物内に存在する物体からの電波を受信して、その物体の動向を検出するのに利用できるアンテナを設置してあるアンテナ付き建物に関し、更に詳しくは、建物の壁面、又は、スラブ面の室内側面に、室内側と交信自在な状態にアンテナを設けてあるアンテナ付き建物に関する。
【０００２】
【従来の技術】
従来、この種のアンテナ付き建物としては、建物の部屋への出入り口の枠部分に複数のアンテナを設けてあるものがあり（例えば、特許文献１参照）、前記アンテナによって、部屋内に立ち入る人が身につけたタグと交信することで、その人の動向を検知できるように構成してあった。
【０００３】
【特許文献１】
特開２００１−７４８５５号公報（図２）
【０００４】
【発明が解決しようとする課題】
上述した従来のアンテナ付き建物によれば、アンテナの設置位置が部屋への出入り口に限られているから、出入り口に前記タグが接近したことについては検知できるものの、部屋の中に入ったか、又は、入らずに立ち去ったのかを特定することが困難で、それを、検出するためには、アンテナとは別のセンサーやビデオカメラ等の高価な設備を設置する必要があった。即ち、従来のアンテナ付き建物によれば、アンテナ以外の設備も併用する必要があり、設備費がかさむ事に加えて、設備が室内に露出して美観性を損ね易いといった問題点があった。
この様な問題点を解消するためには、部屋の内部のあちらこちらに多数のアンテナを設けることが考えられるが、この場合には、多数のアンテナからの情報をそれぞれ処理する必要があり、情報処理そのものが煩雑になる問題点があった。
また、建物の室内環境を変更（例えば、室内改装や、間仕切りの追加や撤去）するような場合には、その変化に応じて、新たにアンテナを取り付けたり、既に設けてあるアンテナの配置換えしたり、取り外したりすると言った手間の掛かる作業を実施しなければならず、実用的ではなかった。
【０００５】
従って、本発明の目的は、上記問題点を解消し、室内の美観性を損ね難く、且つ、アンテナでの受信情報の処理を最小限に止めることができ、且つ、室内環境の変化に対して簡単に追従し易いアンテナ付き建物を提供するところにある。
【０００６】
【課題を解決するための手段】
請求項１の発明の特徴構成は、建物の壁面、又は、スラブ面の室内側面に、室内側と交信自在な状態にアンテナを設けてあるアンテナ付き建物において、前記アンテナは、面状交信面を有し、前記面状交信面を、その面内方向に複数に分割自在に構成し、隣接する分割交信面どうしの間に、互いの分割交信面どうしを導電状態と非導電状態とに切替自在な導電切替手段を設け、その導電切替手段は、隣接する分割交信面から取り除き操作するに伴って隣接する分割交信面どうしを導通状態から非導通状態に切り替える取り除き部で構成してあると共に、室内の間仕切り部に合わせて配置してあるところにある。
【０００７】
請求項１の発明の特徴構成によれば、アンテナは、面状交信面を有し、前記面状交信面を、その面内方向に複数に分割自在に構成し、隣接する分割交信面どうしの間に、互いの分割交信面どうしを導電状態と非導電状態とに切替自在な導電切替手段を設けてあるから、壁面やスラブ面に面状交信面を沿った状態に配置でき、室内側に違和感を与えるような突出が生じない状態にアンテナを設置することが可能となる。従って、室内の美観性を損ね難い。
また、面状交信面どうしは、導電切替手段によって接続されているから、各導電切替手段の導電状態を切り替えすることで、交信目的に合わせて、各面状交信面単位でアンテナを分割構成することが可能となる。
即ち、設置対象の室内を一つのアンテナでカバーするような使い方や、複数のアンテナに分割するような使い方を、前記導電切替手段によって適宜切り替えることが可能となり、使用目的に合わせて適切な数のアンテナを構成することができる。具体的な例を挙げて説明すると、部屋のどの部分に交信対象が存在しているかと言った細かい情報まで必要とする場合には、導電切替手段によってアンテナを細かく分割して交信する一方、部屋内での交信対象の存在の有無のみを検出するだけで良いような場合には、導電切替手段によって一つの大きなアンテナとして統合して交信することが可能となり、必要最小限の受信情報を処理するように構成することで、効率の良い情報処理を叶えることが可能となる。
更には、室内の改装や、間仕切りの設置や撤去等の室内環境の変更を行う場合にも、各分割交信面単位でのアンテナの分割が可能であるので、従来のように、新たにアンテナを取り付けたり、既に設けてあるアンテナの配置換えしたり、取り外したりすると言った手間を掛けることなく、迅速に、且つ、簡単に交信面のエリア変更を叶えることができ、室内環境の変化に対する追従性を向上させることが可能となる。
そして、室内環境の変化が間仕切りの変更であるような場合に、部屋の増加に合わせて、間仕切り部に配置した導電切替手段を切替するだけで、各部屋に対応したアンテナを簡単に構成することが可能となる。  尚、間仕切りの変更は、例えば、建物の竣工後に実施されるリフォームに伴うものの他、建物の建築施工中に、間仕切りが順次追加されるような場合も含む。
【０００８】
請求項２の発明の特徴構成は、前記アンテナは、導電材料を混入させた塗料から構成してあるところにある。
【０００９】
請求項２の発明の特徴構成によれば、請求項１の発明による作用効果を叶えることができるのに加えて、前記塗料の塗布によって建物と一体となったアンテナを簡単に構築することが可能となり、アンテナ設置作業の効率を向上させることが可能となる。また、設置範囲の設定も、塗料の塗布範囲を選択するだけで簡単に実施することが可能となる。
更には、前記塗料そのものを、室内装飾材として兼用することができ、アンテナ設置工のコストダウンを図ることが可能となる。
【００１０】
請求項３の発明の特徴構成は、前記アンテナは、導電材料で印刷したシートで構成してあるところにある。
【００１１】
請求項３の発明の特徴構成によれば、請求項１の発明による作用効果を叶えることができるのに加えて、前記シートを建物に貼り付けるだけの簡単な手間でアンテナを形成することが可能となり、アンテナ設置作業の効率向上を叶えることができると共に、設置作業の簡単化によって、熟練した者でなくても適切な状態にアンテナを設置することが可能なる。
また、導電材料の印刷という手法を採用することによって、アンテナとしての導電性能の品質をバラツキ少なく維持することが可能となる。
【００１４】
請求項４の発明の特徴構成は、前記アンテナの室内側面側に、化粧材を敷設してあるところにある。
【００１５】
請求項４の発明の特徴構成によれば、請求項１〜３の何れかの発明による作用効果を叶えることができるのに加えて、化粧材によってアンテナが暴露するのを防止することができる。従って、前記化粧材によって室内の意匠性の向上を図ることができながら、アンテナの劣化防止を図ることが可能となる。
即ち、室内の美観性の向上と、アンテナの性能維持を両立させることが可能となる。
【００１６】
【発明の実施の形態】
以下に本発明の実施の形態を図面に基づいて説明する。
【００１７】
図１，図２は、本発明のアンテナ付き建物の一つの実施形態を示すもので、図は、建物Ｂの建設途中の状態を示しており、工程を進めるに伴って、図２（イ）から図２（ロ）のように間仕切りが加えられる。
【００１８】
前記建物Ｂの天井スラブ面（スラブ面の一例）Ｆの室内側面（下面）に、室内側と交信自在な状態にアンテナ１を設けて構成してある。
このアンテナ１は、様々な用途に使用することができるが、ここでは、当該建物Ｂの建設に伴う現場施工管理に使用する例を挙げて説明する。
【００１９】
この現場施工管理は、図４に示すように、現場施工管理システム（以後、単にシステムと言う）Ｓによって実施され、建物施設内の複数箇所に各別に設置された複数のアンテナ１と、施工現場に出入りする人Ｖ１や物（材料Ｖ２ａや施工道具Ｖ２ｂ）Ｖ２等の対象体Ｖにそれぞれ取り付けたＩＤタグ２と、前記アンテナ１で受信した各ＩＤタグ２の情報を記録すると共に各種解析を行って表示自在なメインコンピュータ３とを設けて構成してある。尚、アンテナ１とメインコンピュータ３とは、有線・無線に拘わらず、互いに、通信自在に連結されている。
【００２０】
前記ＩＤタグ２は、取り付ける対象体Ｖによってそれぞれ専用の物が用意してあり、人Ｖ１に取り付けるための人用ＩＤタグ２Ａと、物Ｖ２に取り付けるための物用ＩＤタグ２Ｂとがある。また、物用ＩＤタグ２Ｂは、材料Ｖ２ａに取り付けるための材料用ＩＤタグ２Ｂａと、施工道具Ｖ２ｂに取り付けるための施工道具用ＩＤタグ２Ｂｂとに細分されている。
そして、それぞれのＩＤタグ２は、施工現場への入場に際して該当する対象体Ｖに取り付けられる。具体的には、人用ＩＤタグ２Ａは、例えば、対象とする人Ｖ１が現場入場教育を受ける際に、ヘルメットや作業服等、交信し易い箇所に取り付けることが考えられ、物用ＩＤタグ２Ｂは、該当物Ｖ２が現場に搬入された際に、両面接着テープ等によって取り付けることが考えられる。
また、ＩＤタグ２は、アンテナからの交信によってのみ返信するように構成されている。
尚、各ＩＤタグ２に記録されている情報は、予め、前記メインコンピュータ３のデータベースにも保存してあり、該当タグからの情報と照合して、そのタグを特定できるようにしてある。
【００２１】
前記メインコンピュータ３は、図４に示すように、各種制御を行う制御部３Ａと、各種情報を読み書き自在に備えた情報記録部３Ｂと、アンテナ１や通信ネットワークＷと情報通信自在に接続する情報通信部３Ｃと、ディスプレー３Ｄ、入力部３Ｅとを備えて構成してある。
また、メインコンピュータ３には、前記制御部３Ａと前記情報記録部３Ｂとを主たる構成とするデータベースＤが構築してあり、そのデータベースＤの内容は、情報通信部３Ｃを介しては、前記アンテナ１との交信や、異なるコンピュータとの通信によって最新状態に更新される。
【００２２】
前記制御部３Ａは、前記情報通信部３Ｃを介して通信された情報を、前記情報記録部３Ｂとの間で読み書きしたり、それらの情報をディスプレー３Ｄに表示させたりする一般的な制御を実施できるように構成してある他、データベースＤに記録した前記情報を基に、前記ＩＤタグ２の動向を検出自在な動向検出制御部５、前記データベースＤに記録されたデータと、前記動向検出制御部５で検出されたデータとを基に、現場施工管理に必要な管理情報Ｎを提供自在な管理情報提供制御部６等を備えて構成してある。
因みに、前記管理情報Ｎとは、例えば、図５に示すように、所定のアンテナ１の情報検出履歴から、そのアンテナ１の情報検出領域１Ａに存在したＩＤタグ２を時系列に整理したタイムチャートＮ１であったり、又は、所定のＩＤタグ２について、各アンテナ１の情報検出履歴から、存在位置を時系列に整理したタイムチャートＮ２を例に挙げることができる。勿論、これらをリストとして表示するものであってもよい。
【００２３】
前記データベースＤは、図４に示すように、前記アンテナ１で受信した前記ＩＤタグ２からのＩＤコードや、その受信の際の時間情報Ｔとを対応させて記録自在に構成してある。また、データベースＤには、これらの情報の他、現場施工管理全般に係わる情報も記録されている。例えば、前記アンテナ１の設置箇所の位置情報や、その設置箇所で実施される施工情報や、工事関係者リスト情報や、各人Ｖ１毎に扱う材料Ｖ２ａや施工道具Ｖ２ｂを対応させた情報等さまざまなものがある。そして、例えば、特定のＩＤタグ２に対する情報表示要求を受けると、前記データベースＤの該当するＩＤタグ２にリンクした詳細情報をディスプレー３Ｄに表示することができる。
【００２４】
前記アンテナ１は、図３に示すように、天井スラブ面Ｆの下面に導電材料を混入させた塗料１０を塗布することで一体的な導電体として構成してあり、塗装された塗料１０表面によって面状交信面Ｍが構成されている。そして、面状交信面Ｍは、部屋ゾーンや通路ゾーンにわたって、複数に分割した分割交信面Ｍ１を隣接させた状態に構成してある（図２参照）。また、隣接する分割交信面Ｍ１どうしの間には、互いを導電状態と非導電状態とに切替自在な導電切替手段Ｋを設けて構成してある。尚、図４に示すように、各分割交信面Ｍ１どうしの分割部分は、間仕切り部１１に合わせて配置してある。
従って、前記導電切替手段Ｋによってすべての分割交信面Ｍ１が導電状態となるようにすることで、アンテナ１は、建物Ｂ内で単一のアンテナとして機能する。また、任意の導電切替手段Ｋを非導電状態とすることで、その両側のアンテナ１を分離した別体のアンテナとして機能させることが可能となる。尚、リード線やコントローラ１Ｂ等のアンテナ付帯設備に関しては、予め、各分割交信面Ｍ１毎に設置しておいてもよいし、アンテナ分割の際に設置してもよい。
本実施形態においては、アンテナ１は、通路部Ｂ１に位置して単独の分割交信面Ｍ１で構成された通路部アンテナ１ａと、各部屋Ｂ２毎に位置し単独の分割交信面Ｍ１で構成された部屋アンテナ１ｂの複数とを備えて構成してある。
【００２５】
そして、前記導電切替手段Ｋによるアンテナ切替の例を示すと、例えば、図２の平面図に示す通りである。
図２（イ）の切替状態は、全てのアンテナ１ａ，１ｂを導通状態として単一のアンテナ１を構成してあるもので、建物Ｂ内に前記対象体Ｖが位置しているか否かの状態を検出するだけの目的の時に採用される。この状態においては、どのＩＤタグ２が建物Ｂ内に存在しているかの情報を検知することが可能である。
また、図２（ロ）に切替状態は、各アンテナ１ａ，１ｂが各別に機能するように最小単位に分離された構成を示し、建物Ｂ内に位置する対象体Ｖが、どのＩＤタグ２であるかと言うことや、そのＩＤタグ２が建物Ｂ内のどの部分に位置しているのかと言うことを検出する場合に採用される。
【００２６】
尚、前記導電切替手段Ｋは、隣接する分割交信面Ｍ１どうしの導通を切り替える構成であれば如何なるものであってもよいが、本実施形態においては、図３に示すように、前記塗料１０を塗装する下地１２に、予め、剥離シート１３を貼着しておき、その上から、導通状態に塗料１０を塗装することで構成してある。この初期状態においては、剥離シート１３（取り除き部に相当）両側のアンテナ１は導通状態であり、前記剥離シート１３を剥離することで、非導通状態に切り替えることができる。
【００２７】
次に、当該施工管理システムＳによる対象体Ｖの動向管理の一例を説明する。尚、対象体Ｖには、予め、ＩＤタグ２が装着されているものとし、且つ、前記導電切替手段Ｋによって各アンテナ１は、各別に情報を検出できる状態に切り替えてあり、且つ、間仕切り部１１が設置されているものとして以後の説明を進める。
【００２８】
［１］  図２，図４に示すように、人Ｖ１や材料Ｖ２ａや施工道具Ｖ２ｂが建物Ｂに入場すると、通路部Ｂ１に設置された通路部アンテナ１ａによって各ＩＤタグ２が検出され、その検出情報（検出したＩＤコード）７に、検出した時刻を示す時間情報Ｔを合わせてアンテナ１ａからメインコンピュータ３に送信される。そして、メインコンピュータ３においては、前記検出情報７と時間情報Ｔに、それらの情報を検出したアンテナ１ａのアンテナ情報（アンテナコード）８を合わせて記録される。
【００２９】
［２］  建物Ｂに入った対象体Ｖが、通路部Ｂ１から部屋Ｂ２に移動するに伴って、該当する部屋Ｂ２に設置された部屋アンテナ１ｂによって各ＩＤタグ２が検出され、上述の記載と同様のプロセスによって、検出情報７、時間情報Ｔ、アンテナ情報８がメインコンピュータ３に記録される。
【００３０】
［３］  前記対象体Ｖが更に進行して、別の部屋Ｂ２内に移動すると、該当するＩＤタグ２を検出するアンテナが１ｂから別の１ｂに替わる。
そして、これらの情報は、上述の記載と同様のプロセスによって、検出情報７、時間情報Ｔ、アンテナ情報８がメインコンピュータ３に記録されているから、その情報を図５に示すようなタイムチャートＮ１，Ｎ２に表示することで、一目瞭然で、対象体の存在位置、及び、移動経路が判る。
このような情報の表示は、リアルタイムで行うことも可能であるが、前記データベースＤには、全ての情報が納められているので、後から、各対象体Ｖの動向を調べることもできる。
因みに、前記対象体Ｖが人Ｖ１である場合には、人の動向を示すものでり、同様に、材料Ｖ２ａである場合には材料の動向を、施工道具Ｖ２ｂである場合には施工道具の動向を示すものである。従って、これらの組み合わせ状況から、該当する部分での施工状況を推定することが可能となる。
【００３１】
次に、これらの情報を用いた運用について、その例を挙げて説明する。
【００３２】
（品質管理への利用）
建設においては、例えば、防水下地のできばえは、その上に施工されるアスファルト防水の品質に大きな影響をもたらすことが多いが、下地上に防水層を形成してしまった後から、下地の出来栄えを観察することは困難である。しかしながら、上述のような各タイムスケジュールを見ることによって、人と材料と施工道具の動向が、施工対象部で、どのような順序で行われ、どのようなインターバルをしたかを知ることができ、その結果から、所定の施工手順および所定の施工歩掛かりに合致した施工が実施されたかを容易に判断することができる。
【００３３】
（コスト管理への利用）
労務職に対して施工道具を貸与して施工を進めるような場合があるが、貸与した施工道具が、無駄なく使用されているかと言う判断は、人用ＩＤタグ２Ａと施工道具用ＩＤタグ２Ｂｂとの動向を見ることで実施できる。即ち、対象部分に、道具だけが存在している状態にあっては、その道具は使用されてないことになる。このように、無駄なく施工道具が使用されることを徹底することで、コスト削減を図ることが可能となる。
また、一つの施工道具を、複数の人が使用するような場合、上述のタイムスケジュールを見ることで、事後においても、各人ごとの振り分けを容易に実施することができ、コスト管理を実施し易い。
【００３４】
（工程管理への利用）
人のみの動向情報からでは、施工している状態であるか、待機している状態であるのかを判定するのは困難である場合が多いが、材料や施工道具の動向を合わせて見ることによって、工事の手待ち状態を迅速に知り、対策を講じることが可能となる。その結果、工程の遅延の防止を図ることが可能となる。
【００３５】
（安全管理への利用）
人のみの動向情報からだけでも、施工現場内の危険区域に近付いたことは判別でき、警報等を出す安全管理は可能であるが、人と物の両動向情報を見れば、該当する人が、どんな作業のために近づいて来たのかについて特定することも可能となり、その結果によれば、例外的にその区域への進入を認めると行ったきめの細かい安全管理を実践することが可能となる。また、仮に、事故が発生してしまった場合でも、前記タイムスケジュールから、どの様な作業中に事故が発生したかまで判定することが可能で、事故原因の分析を行う上で有効となり、事故撲滅の対策に利用することができる。
【００３６】
（環境管理への利用）
施工に伴って生じる残材の処理は、物（残材）の動向情報から、適切な場所に廃棄されているかと言ったことは判定される。しかし、同種の残材が、複数の施工個所から発生し、それぞれ異なった担当者によって別々に廃棄するような場合に、何れかの人が不適切に廃棄したとしても、その責任の所在がはっきりしないと言うことがある。そこで、物（残材）の動向情報に加えて、上述のように、人の動向情報を入手できることにより、誰が何を何時どこへ廃棄したのかまでつかむことができ、不正な廃棄を未然に防止することが可能となる。
【００３７】
〔別実施形態〕
以下に他の実施の形態を説明する。
【００３８】
〈１〉  前記アンテナ１は、先の実施形態で説明したものに限るものではなく、例えば、アンテナ１による交信に対するＩＤタグ２からの返信時間や、返信電波の強さを検出する返信状況検出機構をアンテナ１に設けてあれば、その返信状況検出機構からの情報をもとに、該当するアンテナ１と対象体Ｖとの相対位置を、より正確に求めることが可能となる。また、アンテナ１の具体的な構成は、先の実施形態で説明した導電材料を混入させた塗料１０を塗装して形成するものに限らず、例えば、図６に示すように、導電材料で印刷したシート１５で構成してあったり、金属製シートで構成してあってもよい。要するに、アンテナとして機能するものであれば、その材質の制約はなく、公知の技術レベルにおける各種のものを採用することが可能で、このような例を含めてアンテナと総称する。また、前記塗料を塗布するについて、先の実施形態で説明したように、下地１２のほぼ全面にわたって塗布範囲を設定するものに限らず、例えば、図７に示すように、ジグザグ状の線形の塗布範囲で形成するものであってもよい。
〈２〉  前記ＩＤタグ２は、先の実施形態で説明したようにアンテナからの交信を受けて返信するように構成されたものに限るものではなく、例えば、自発信すべく構成されたものであってもよい。従って、バッテリー内蔵型であってもよい。また、ＩＤタグにメモリーを備えさせることで、リードオンリータイプに替えて、リードライトタイプとして構成することが可能である。この場合、交信を行った該当アンテナの情報や、交信時の時間情報等を、前記メモリーに記憶させておき、複数の情報が溜まった状態で、最寄りのアンテナ１にそれらの情報を送信して、メインコンピュータ３のデータベースに記録することも可能である。
この様なものを含めて、ＩＤタグと総称する。
〈３〉  前記アンテナ１の用途は、先の実施形態で説明した現場施工管理に限られるものではなく、例えば、建物の竣工に伴って、必ずしも撤去する必要が無く、竣工後も、そのまま残し、例えば、倉庫や、図書館等、建物内に位置する特定の対象体Ｖを管理できるように使用したり、テレビやラジオ、又は、情報通信に使用するアンテナや、屋内配線等として利用することも可能である（図８参照）。
また、アンテナ１の設置対象は、先の実施形態で説明したように、天井スラブ面に限るものではなく、例えば、図９，図１０に示すように、床スラブ面Ｆや、壁面Ｈであってもよい。
また、アンテナ１の室内側面側に、図８〜１０に示すように、壁紙や床板や天井板等の化粧材１４を敷設しておけば、室内の美観性を低下させることなく機能させることが可能となる。
【００３９】
尚、上述のように、図面との対照を便利にするために符号を記したが、該記入により本発明は添付図面の構成に限定されるものではない。
【図面の簡単な説明】
【図１】アンテナ付き建物の要部を示す一部切欠き斜視図
【図２】アンテナ付き建物の平面図
【図３】導電切替手段を示す要部斜視図
【図４】現場施工管理システムを示す概念図
【図５】管理情報を示す説明図
【図６】別実施形態のアンテナを示す要部斜視図
【図７】別実施形態のアンテナ設置状況を示す平面図
【図８】別実施形態のアンテナ利用を示す要部説明図
【図９】別実施形態のアンテナ利用を示す要部説明図
【図１０】別実施形態のアンテナ利用を示す要部説明図
【符号の説明】
１      アンテナ
１０    導電材料を混入させた塗料
１１    間仕切り部
１４    化粧材
１５    導電材料で印刷したシート
Ｂ      建物
Ｆ      天井スラブ面（スラブ面の一例）
Ｈ      壁面
Ｋ      導電切替手段
Ｍ      面状交信面
Ｍ１    分割交信面
【図１】
0003688266.tif 000002
【図２】
0003688266.tif 000003
【図３】
0003688266.tif 000004
【図４】
0003688266.tif 000005
【図５】
0003688266.tif 000006
【図６】
0003688266.tif 000007
【図７】
0003688266.tif 000008
【図８】
0003688266.tif 000009
【図９】
0003688266.tif 000010
【図１０】
0003688266.tif 000011